(57)【特許請求の範囲】
【請求項１】
ヘアケア機器であって、
本体と、
ヒータと、
ＰＣＢと、
前記機器内への一次流体入口から、前記本体からの一次流体出口へ延びる一次流体流路であって、第１の方向に延び、その後前記第１の方向に直交する第２の方向に延びる一次流体流路と、
を備え、前記ＰＣＢ及び前記ヒータは、前記本体内に位置するとともに、前記一次流体流路と流体連通し、前記ＰＣＢは、前記ヒータの上流に存在し、前記本体内で前記ＰＣＢと前記ヒータとの間には熱障壁が設けられ、前記熱障壁は、前記一次流体流路の一部内の流れの方向を前記第１の方向から前記第２の方向に変更する湾曲部を有するフロープレートであり、
前記フロープレートは、前記ダクトの周囲で前記一次流を円形流から環状流に偏向させる、ことを特徴とするヘアケア機器。
【請求項２】
前記ヒータの上流にファンユニットが設けられる、
請求項１に記載の機器。
【請求項３】
前記ＰＣＢの上流にファンユニットが設けられる、
請求項１に記載の機器。
【請求項４】
前記熱障壁は、前記ＰＣＢから熱を奪うためのヒートシンクとして機能する、
請求項１から３のいずれかに記載の機器。
【請求項５】
前記本体は、前記一次流体流路に関し前記ヒータの上流にハンドル部分を含み、前記ハンドル部分は、前記第１の方向に延びる前記一次流体流路の一部を形成する、
請求項１から４のいずれかに記載の機器。
【請求項６】
前記一次流体入口は、前記ハンドル部分に存在する、
請求項５に記載の機器。
【請求項７】
前記本体を通る前記一次流体流路の一部は、前記本体内を通って直線的に延びる、
請求項５又は６に記載の機器。
【請求項８】
ヘアケア機器であって、
本体と、
ヒータと、
ＰＣＢと、
前記機器内への一次流体入口から、前記本体からの一次流体出口に延びる一次流体流路であって、第１の方向に延び、その後前記第１の方向に直交する第２の方向に延びる一次流体流路と、
前記本体内への流体入口から、前記本体からの流体出口に向かって延びる流体流路と、を備え、前記ＰＣＢ及び前記ヒータは、前記本体内に位置するとともに前記一次流体流路と流体連通し、前記ＰＣＢは、前記ヒータの上流に存在し、前記ＰＣＢと前記ヒータとの間に熱障壁が設けられ、前記熱障壁は、前記一次流体流路の一部内の流れの方向を前記第１の方向から前記第２の方向に変更する湾曲部を有するフロープレートであり、
前記フロープレートは、前記ダクトの周囲で前記一次流を円形流から環状流に偏向させる、ことを特徴とするヘアケア機器。
【請求項９】
前記本体は、該本体に沿って前記流体入口から前記流体出口に延びるダクトを含み、該ダクトは、前記流体流路の周囲に延びる、
請求項８に記載の機器。
【請求項１０】
前記ＰＣＢは、少なくとも部分的に環状であり、少なくとも部分的に前記ダクトの周囲に延びる、
請求項９に記載の機器。
【請求項１１】
前記一次流体流路は、少なくとも部分的に前記ダクトに沿って延びる、
請求項９又は１０に記載の機器。
【請求項１２】
前記本体内において、前記一次流体流路は環状である、
請求項１１に記載の機器。
【請求項１３】
前記機器は、前記本体に取り付けられて該本体から延びるハンドルを備え、前記一次流体流路は、前記ハンドル内に存在し、前記一次流体流路の一部は、前記ハンドル内を流れる、
請求項８から１２のいずれかに記載の機器。
【請求項１４】
前記ハンドルは、前記本体と直交する、
請求項１３に記載の機器。
【請求項１５】
前記ハンドル内において、前記一次流体流路の断面形状は円形である、
請求項１３又は１４に記載の機器。
【請求項１６】
一次流体が、前記ハンドル内を第１の方向に流れ、前記本体内を第２の方向に流れる、請求項１３から１５のいずれかに記載の機器。
【請求項１７】
前記フロープレートは、前記ＰＣＢに接続される、
請求項８に記載の機器。
【請求項１８】
前記フロープレートは、前記ＰＣＢの周囲にも一次流体流を向ける、
請求項８に記載の機器。
【請求項１９】
前記フロープレートは、前記ＰＣＢのための熱障壁、ヒートシンク及び偏向板のうちの１つ又は２つ以上でもある、
請求項１７又は１８に記載の機器。
【請求項２０】
前記一次流が前記本体に入り込む場所に、比較的高速な流れの領域が存在する、
請求項１７から１９のいずれかに記載の機器。
【請求項２１】
前記本体は円筒形であり、前記ＰＣＢは、環状であるとともに回路基板から異なる量だけ外向きに延びる部品を有し、該部品は、前記回路基板からより遠くに延びる部品が前記比較的高速な流れの領域から半径方向に離れて位置するように配置される、
請求項２０に記載の機器。
【請求項２２】
前記回路基板からより遠くに延びる前記部品の少なくとも一部は、コンデンサである、請求項２１に記載の機器。
【請求項２３】
前記回路基板から延びる距離が短い部品は、前記比較的高速な流れの領域内に位置する、
請求項２１又は２２に記載の機器。
【発明の詳細な説明】
【技術分野】
【０００１】
本発明は、手持型機器に関し、特にヘアドライヤ又は高温整髪ブラシなどのヘアケア機器に関する。
【背景技術】
【０００２】
塗料又は毛髪などの物質を乾かすこと、及び表層をきれいにしたり、又は剥ぎ取ったりすることなどの様々な用途には、送風機、特に温風送風機が使用される。また、髪を濡れた状態又は乾いた状態から整えるためにも、高温整髪ブラシなどの温風送風機が使用される。
【０００３】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【発明の概要】
【課題を解決するための手段】
【０００４】
第１の態様によれば、本発明は、ヘアケア機器であって、本体と、ヒータと、ＰＣＢと、機器内への一次流体入口から、本体からの一次流体出口に延びる一次流体流路とを備え、ＰＣＢ及びヒータが一次流体流路と流体連通し、ＰＣＢがヒータの上流に存在するヘアケア機器を提供する。
【０００５】
ヒータの上流には、ファンユニットが設けられることが好ましい。或いは、ＰＣＢの下流にファンユニットが設けられることが好ましい。
【０００６】
また、ヘアケア機器であって、本体と、ヒータと、ＰＣＢと、機器内への一次流体入口から、本体からの一次流体出口に延びる一次流体流路とを備え、ＰＣＢ及びヒータが一次流体流路と流体連通し、ＰＣＢがヒータの上流に存在し、ＰＣＢの下流にファンユニットが設けられたヘアケア機器も提供する。
【０００７】
ＰＣＢとヒータの間には、熱障壁が設けられることが好ましい。
【０００８】
また、ヘアケア機器であって、本体と、ヒータと、ＰＣＢと、機器内への一次流体入口から、本体からの一次流体出口に延びる一次流体流路とを備え、ＰＣＢ及びヒータが一次流体流路と流体連通し、ＰＣＢがヒータの上流に存在し、ＰＣＢとヒータの間に熱障壁が設けられたヘアケア機器も提供する。
【０００９】
熱障壁は、ＰＣＢと熱連通し、ＰＣＢのためのヒートシンクとして機能することが好ましい。熱障壁は、アルミニウム又はアルミニウム合金であることが好ましい。
【００１０】
本体は、ヒータの上流にハンドル部分を含むことが好ましい。一次流体入口は、ハンドル部分に存在することが好ましい。一次流体流路は、本体内を通って直線的に延びることが好ましい。
【００１１】
機器は、流体流路を備えることが好ましい。流体流路は、本体内への流体入口から流体出口に延びることが好ましい。
【００１２】
また、ヘアケア機器であって、本体と、ヒータと、ＰＣＢと、機器内への一次流体入口から、本体からの一次流体出口に延びる一次流体流路とを備え、ＰＣＢ及びヒータが一次流体流路と流体連通し、ＰＣＢがヒータの上流に存在するヘアケア機器も提供する。
【００１３】
機器は、本体内を通って延びる流体流路を定めるダクトを備えることが好ましい。流体流路は、流体入口から流体出口に延びることが好ましい。流体流路は、ダクト内を延びることが好ましい。流体流路は、本体の流体入口からダクトを通じて本体からの流体出口に延びることが好ましい。
【００１４】
ダクトは、流体流路の周囲に延びることが好ましい。ＰＣＢは、少なくとも部分的にダクトの周囲に延びることが好ましい。
【００１５】
ハンドルは、本体と実質的に直交することが好ましい。
【００１６】
ハンドル内では、一次流体流路が概ね円形であることが好ましい。
【００１７】
一次流体流路が本体に入り込む場所には、フロープレートが設けられることが好ましい。本体は、ハンドルからの流れを本体内に向けるためのフロープレートを含むことが好ましい。
【００１８】
フロープレートは、ダクトの周囲の一次流を循環流から環状流に偏向させることが好ましい。
【００１９】
一次流体は、ハンドル内を第１の方向に流れ、本体内を第２の方向に流れることが好ましい。フロープレートは、一次流を第１の方向から第２の方向に向けることが好ましい。
【００２０】
フロープレートは、少なくとも１つの開口部を含むことが好ましい。少なくとも１つの開口部は、フロープレートを通じてＰＣＢに流体が流れるようにすることが好ましい。
【００２１】
フロープレートは、ＰＣＢに接続されることが好ましい。フロープレートは、ＰＣＢのためのヒートシンクとして機能することが好ましい。フロープレートは、ＰＣＢの周囲にも一次流体流を向けることが好ましい。
【００２２】
フロープレートは、ＰＣＢのための熱障壁、ヒートシンク及び偏向板のうちの１つ又は２つ以上でもあることが好ましい。
【００２３】
一次流が本体に入り込む場所には、比較的高速な流れの領域が存在することが好ましい。
【００２４】
ＰＣＢは、回路基板から異なる量だけ外向きに延びる部品を有し、これらの部品は、回路基板からより遠くに延びる部品が比較的高速な流れの領域から半径方向に離れて位置するように配置されることが好ましい。回路基板からより遠くに延びる部品の少なくとも一部は、コンデンサであることが好ましい。
【００２５】
回路基板から延びる距離が短い部品は、比較的高速な流れの領域内に位置することが好ましい。
【００２６】
熱障壁は、ＰＣＢからの破片を一次流体流路及び一次流体出口から離して偏向させる偏向板でもあることが好ましい。
【００２７】
第２の態様によれば、本発明は、ヘアケア機器であって、外壁を有する本体と、外壁及びこの外壁内に配置された壁部を有するハンドルとを備え、本体の外壁及びハンドルの壁部が単一ユニットとして形成されたヘアケア機器を提供する。
【００２８】
本体とハンドルの壁部とを単一ユニットとして形成することには複数の利点がある。第１に、機器の部品の少なくとも一部へのアクセスが困難になる点である。従来のヘアドライヤでは折り畳み構造が用いられており、通常は２つの部品が互いにねじ止めされている。ユーザは、比較的容易にねじを取り外し、ヒータ及びファンユニットにアクセスすることができる。本発明では、取り外せる接合部又はねじが存在しないので、ユーザによる製品の分解が困難になる。第２に、製品の見た目がきれいな点である。本体には、本体の長さに沿って延びる接合線、及び２つの部品を接続するために必要とされる凹部又は延長部が存在しない。
【００２９】
壁部は、少なくとも部分的に壁部に沿ってその周囲に延びるアクセス用開口部を含むことが好ましい。壁部は、アクセス用開口部を閉じるためのハッチを含むことが好ましい。
【００３０】
ハンドルは、その本体からの遠位端及び／又はその近くに配置された一次流体入口を含むことが好ましい。一次流体入口は、少なくとも部分的にハンドルに沿ってその周囲に広がることが好ましい。一次流体入口は、外壁の周囲に広がる少なくとも１つの開口部を含むことが好ましい。一次流体入口は、外壁に沿って広がる少なくとも１つの開口部を含むことが好ましい。一次流体入口は、外壁を横切って広がる少なくとも１つの開口部を含むことが好ましい。
【００３１】
ハンドルは、一次流体入口からハンドルに沿って本体内に延びる一次流体流路を含むことが好ましい。一次流体流路は、壁部内の一次流体入口から本体に延びることが好ましい。
【００３２】
ハンドルは、一次流体流路内に流体を引き込むファンユニットを含むことが好ましい。
【００３３】
本体は、一次流体流路のための一次流体出口を含むことが好ましい。一次流体出口は、一次流体入口及び一次流体流路と流体連通することが好ましい。
【００３４】
本体は、第１の端部及び第２の端部を有し、一次流体出口は、第２の端部に存在することが好ましい。
【００３５】
本体は、流体流路を含むことが好ましい。流体流路は、本体内の流体入口から流体出口に延びることが好ましい。
【００３６】
本体は、その外壁内を延びるダクトを含み、ダクトは、第１の端部から延びることが好ましい。
【００３７】
一次流体流路は、本体の外壁とダクトとの間に延びることが好ましい。一次流体流路は、一次流体出口に延びることが好ましい。一次流体流路は、ダクトの周囲に延びることが好ましい。一次流体流路は、少なくとも部分的にダクトに沿って延びることが好ましい。ダクトは、少なくとも部分的に本体に沿って延びることが好ましい。
【００３８】
ダクトは、本体内を通って延びる流体流路を定めることが好ましい。流体流路は、流体入口から流体出口に延びることが好ましい。流体流路は、ダクト内を延びることが好ましい。流体流路は、本体の流体入口からダクトを通って本体からの流体出口に延びることが好ましい。
【００３９】
ダクトは、流体流路の周囲に延びることが好ましい。流体流路は、ダクト内を通って延びることが好ましい。流体流路は、本体内を通って延びるダクトによって定められることが好ましい。流体流路は、流体出口によって本体から出ることが好ましい。流体流路は、ダクト内を通って設けられることが好ましい。
【００４０】
流体入口は、本体の第１の端部に存在することが好ましい。
【００４１】
流体流路は、本体内で一次流体流路と融合することが好ましい。
【００４２】
或いは、一次流体流路は、本体の第２の端部において流体流路を取り囲む。一次流体流路内の流体は、一次流体出口によって本体から出る。
【００４３】
ダクトは、ダクトと外壁の間に延びる側壁によって本体の外壁に接続されることが好ましい。側壁は、本体の外壁及びダクトの両方に対して角度を成すことが好ましい。側壁は、本体の第１の端部に配置されることが好ましい。ダクト及び側壁は、単一ユニットとして形成されることが好ましい。ダクト及び側壁は、プラスチック材料で作成されることが好ましい。側壁は、流体流路内への流体入口を少なくとも部分的に定めることが好ましい。
【００４４】
ハンドルの外壁は、少なくとも部分的に壁部に沿ってその周囲に延びることが好ましい。ハンドルの外壁は、壁部内へのアクセス用ハッチを覆って延びることが好ましい。
【００４５】
ハンドルの外壁は、実質的に壁部の全長にわたって壁部の周囲に延びることが好ましい。ハンドルの壁部は、一次流体入口を含むことが好ましい。ハンドルの外壁の一次流体入口は、ハンドルの壁部の一次流体入口と流体連通することが好ましい。
【００４６】
本体の外壁及びハンドルの壁部は、プラスチック材料で作成されることが好ましい。
【００４７】
ハンドルの外壁は、ハンドルの壁部及び本体の外壁とは異なる材料で作成されることが好ましい。外壁は、金属で形成されることが好ましい。ハンドルの外壁は、アルミニウム又はアルミニウム合金で作成されることが好ましい。
【００４８】
本体は、ヒータを含むことが好ましい。ヒータは、一次流体流路内の流体を加熱するためのものである。ヒータは、外壁とダクトの間に設けられることが好ましい。一次流体流路は、ヒータ内を通って延びることが好ましい。ヒータは、本体に沿って延びることが好ましい。ヒータは、少なくとも部分的に本体の周囲に広がることが好ましい。或いは、ヒータは本体の周囲に広がる。ヒータは、ダクトを中心にして少なくとも部分的にその周囲に広がることが好ましい。或いは、ヒータは、ダクトを中心にしてその周囲に広がる。ヒータは、少なくとも部分的にダクトに沿って延びることが好ましい。ヒータは、環状であることが好ましい。
【００４９】
第３の態様によれば、本発明は、ヘアケア機器であって、ダクトと、ダクトの周囲に延びる外壁と、ダクトと外壁との間に延びる側壁を有する本体とを備え、側壁に制御スイッチが設けられ、外壁、側壁及びダクトが全て機器の外周壁であるヘアケア機器を提供する。
【００５０】
本体は、入口端部及び出口端部を有し、側壁は、入口端部に存在することが好ましい。
【００５１】
ダクトは、本体内を通る流体流路を少なくとも部分的に定めることが好ましい。ダクトは、入口端部において外壁内に埋め込まれることが好ましい。
【００５２】
ハンドルは、第１の端部において本体に接続されることが好ましい。ハンドルには、第２の制御スイッチが設けられることが好ましい。第２の制御スイッチは、本体の入口端部に隣接してハンドル上に配置されることが好ましい。
【００５３】
第１の制御スイッチ及び第２の制御スイッチは、いずれも１本の指によってアクセス可能であることが好ましい。
【００５４】
第２の制御スイッチは、２つのボタンを含むことが好ましい。
【００５５】
ハンドルは、概ね管状であり、本体に対する遠位端に一次流体入口を含むことが好ましい。ハンドルは、壁部を有し、この壁部を横切って延びる端壁を遠位端に有することが好ましい。一次流体入口は、少なくとも部分的に端壁を横切って広がることが好ましい。
【００５６】
機器は、一端が電源に接続可能であり、他端がハンドルの端壁の実質的に中心内に延びる電力ケーブルを備えることが好ましい。
【００５７】
ハンドルは、少なくとも部分的に壁部に沿ってその周囲に延びる外壁を有することが好ましい。
【００５８】
外壁と壁部の間には、ライニング材が設けられることが好ましい。ライニング材は、絶縁層であることが好ましい。ライニング材又は絶縁層は、壁部に沿って及び／又は壁部の周囲に実質的に連続して延びることが好ましい。
【００５９】
一次流体出口は、少なくとも部分的にダクトによって定められることが好ましい。一次流体出口は、本体及びダクトによって定められることが好ましい。
【００６０】
一次流体流路及び流体流路は、本体内で融合することが好ましい。
【００６１】
一次流体出口は、流体流路の周囲に広がることが好ましい。本体は、流体流路のための流体出口を含み、一次流体出口は、流体出口の周囲に広がることが好ましい。
【００６２】
一次流体出口は、本体の出口端部に存在することが好ましい。
【００６３】
本体は、出口端部に向かって直径が減少することが好ましい。
【００６４】
第１の制御スイッチは、２つのボタンを含むことが好ましい。
【００６５】
第４の態様によれば、本発明は、ヘアケア機器であって、本体と、ハンドルとを備え、ハンドルは、本体と流体連通する第１の端部と、機器内への一次流体入口を含む第２の端部とを有し、一次流体入口は、少なくとも部分的にハンドルの周囲に広がる第１の開口部と、ハンドルの第２の端部内を通って延びる第２の開口部とを含むヘアケア機器を提供する。
【００６６】
一次流体入口は、機器の複数の表面に配置されることが有利である。従来のヘアドライヤでは、一般に一次流体入口がヘアドライヤの後端部に位置し、この端部は、閉鎖を防ぐために凸状であることが多い。ヘアドライヤは、後端部を下にして硬い表面上に置いた場合、横倒しになる。
【００６７】
しかしながら、寝具又は長パイルカーペットなどの柔らかい表面上では、依然として入口が少なくとも部分的に覆われ又は塞がれる。これにより、モータの過熱が引き起こされる恐れがある。複数の表面上に入口を有することにより、モータに損傷を与えるのに十分なあらゆる閉鎖の可能性が減少する。
【００６８】
ハンドルは、第２の端部に端壁を有し、第２の開口部は、端壁内を通って延びることが好ましい。
【００６９】
端壁は、ハンドルと実質的に直交することが好ましい。
【００７０】
第１の開口部は、ハンドルの第２の端部に隣接することが好ましい。
【００７１】
ファンユニットは、一次流体入口の上流に存在することが好ましい。
【００７２】
第１の開口部は、少なくとも部分的にハンドルの周囲に広がる複数の開口部を含むことが好ましい。第１の開口部は、少なくとも部分的にハンドルに沿って延びる複数の開口部を含むことが好ましい。
【００７３】
第２の開口部は、ハンドルの端部内を通って延びる複数の開口部を含むことが好ましい。
【００７４】
ハンドルの端部内を通って延びる、ファンユニットに電力を供給するための電力ケーブルが設けられることが好ましい。電力ケーブルは、一次流体入口において実質的にハンドルの中心を通って延びることが好ましい。第２の開口部は、少なくとも部分的に電力ケーブルの周囲に広がることが好ましい。
【００７５】
一次流体入口からハンドル及び本体内を通って一次流体出口に至る一次流体流路が設けられることが好ましい。
【００７６】
ハンドルは、壁部と、この壁部内を延びる一次流体流路とを含むことが好ましい。ハンドルは、少なくとも部分的に壁部に沿ってその周囲に延びる外壁を含むことが好ましい。ハンドルは、外壁と壁部の間に絶縁材料の層を含むことが好ましい。
【００７７】
一次流体出口は、少なくとも部分的に本体に沿ってその周囲に延びる複数の開口部を含むことが好ましい。
【００７８】
一次流体流路は、ハンドル内を通って本体内に至るまで実質的に直線状であることが好ましい。
【００７９】
或いは、ハンドルは、実質的に本体と直交する。
【００８０】
一次流体流路は、本体内で流体流路を取り囲むことが好ましい。
【００８１】
一次流体出口は、流体流路の周囲に広がることが好ましい。
【００８２】
第５の態様によれば、本発明は、ヘアケア機器であって、壁部及び外壁を有するハンドルを備え、壁部が、機器内への一次流体入口から延びる一次流体流路を定め、外壁が機器の外周面であるヘアケア機器を提供する。
【００８３】
２層壁を設けることにより、ハンドル内からの振動及び騒音の伝達が減少する。この２層壁は、ハンドルの内部部品を外壁から分離する。
【００８４】
外壁は、壁部の周囲に実質的に連続して延びることが好ましい。外壁は、実質的に壁部に沿って延びることが好ましい。
【００８５】
絶縁層は、機器によって生じる騒音、振動及び熱のうちの１つ又は２つ以上を軽減することが好ましい。絶縁材料は、発泡体又はフェルトであることが好ましい。
【００８６】
ハンドルは、第１の端部及び第２の端部を有し、一次流体入口は、第２の端部又はその近くに存在することが好ましい。
【００８７】
ハンドルは、一次流体入口内に引き込まれた流体を加熱するヒータを含むことが好ましい。
【００８８】
ヒータは、ファンユニットの下流に存在することが好ましい。ヒータは、ハンドルの第１の端部に隣接して配置されることが好ましい。
【００８９】
機器は、ハンドルに取り付け可能なヘッド部を有し、このヘッド部は、機器の一次流体出口を含むことが好ましい。一次流体出口は、少なくとも部分的にヘッド部に沿ってその周囲に広がる複数の開口部を含むことが好ましい。一次流体流路は、ハンドル内を通ってヘッド部内に至るまで実質的に直線状であることが好ましい。
【００９０】
或いは、一次流体入口から一次流体出口に至る一次流体流路は、非直線状である。一次流体は、ハンドル内では第１の方向に流れ、本体内では第２の方向に流れることが好ましい。本体内の一次流体流は、ハンドル内の一次流体流と実質的に直交することが好ましい。
【００９１】
流体流路内の流体は、一次流体流路内のファンユニットの作用によって本体内に取り込まれることが好ましい。
【００９２】
第６の態様によれば、本発明は、ヘアケア機器であって、本体と、本体内を通って流体入口から流体出口に延びる流体流路と、流体流路の周囲に広がるＰＣＢとを備えたヘアケア機器を提供する。
【００９３】
ＰＣＢは、環状であることが好ましい。ＰＣＢは、流体流路から分離されることが好ましい。
【００９４】
ＰＣＢは、第１の層及び第２の層を含むことが好ましい。第１の層は、流体流路の周囲に実質的に連続して広がることが好ましい。第２の層は、部分的に流体流路の周囲に広がることが好ましい。
【００９５】
第２の層は、第１の層に隣接することが好ましい。第２の層は、第１の層の下流に存在することが好ましい。
【００９６】
ＰＣＢは、ダクトを中心にして少なくとも部分的にその周囲に広がることが好ましい。
【００９７】
一次流体流路は、ＰＣＢと流体連通することが好ましい。
【００９８】
ヒータは、ＰＣＢの下流に存在することが好ましい。
【００９９】
ＰＣＢとヒータの間には、熱障壁が設けられることが好ましい。熱障壁は、流体的にＰＣＢとヒータの間に配置されることが好ましい。
【０１００】
本体に取り付けられて本体から延びるハンドルを備え、ハンドル内の一次流体入口は、第１の端部において本体に接続されることが好ましい。
【０１０１】
ハンドルは、一次流体流路内に流体を引き込むためのファンユニットを含むことが好ましい。
【０１０２】
ハンドルは、第１の端部の遠位側にある第２の端部を有し、第２の端部は、一次流体入口を含むことが好ましい。
【０１０３】
一次流体流路は、ハンドルに沿って本体内に入り込み、一次流体出口に延びることが好ましい。
【０１０４】
一次流体流路は、非直線状であることが好ましい。
【０１０５】
一次流体流路は、ハンドル内では概ね円形であることが好ましい。
【０１０６】
一次流体流路は、本体内では概ね環状であることが好ましい。
【０１０７】
一次流体流路が本体に入り込む場所には、フロープレートが設けられることが好ましい。本体は、ハンドルからの流れを本体内に向けるためのフロープレートを含むことが好ましい。
【０１０８】
フロープレートは、ダクトの周囲で一次流を循環流から環状流に偏向させることが好ましい。
【０１０９】
一次流体は、ハンドル内を第１の方向に流れ、本体内を第２の方向に流れることが好ましい。フロープレートは、一次流を第１の方向から第２の方向に向けることが好ましい。
【０１１０】
フロープレートは、一次流体流路内に設けられて、流れをハンドル内の循環流から本体１８内の環状流に向けることが好ましい。フロープレートは、ＰＣＢに隣接することが好ましい。
【０１１１】
フロープレートは、ＰＣＢ上の部品の周囲に成形されることが好ましい。
【０１１２】
フロープレートは、一次流をハンドル内の第１の流れ方向から本体内の第２の流れ方向に偏向させることが好ましい。
【０１１３】
ファンユニットは、ＰＣＢの上流に存在することが好ましい。
【０１１４】
第７の態様によれば、本発明は、ヘアケア機器であって、本体と、電気部品が取り付けられたＰＣＢと、少なくとも部分的に本体内を通りＰＣＢを通過して延びる一次流体流路とを備え、一次流体流路は、比較的高速の領域と比較的低速の領域とを有し、ＰＣＢ上に取り付けられた部品は、比較的低速の領域内に大型部品が存在するように配置されたヘアケア機器を提供する。
【０１１５】
機器は、第１の端部が本体に接続されたハンドルを備え、一次流体流路は、ハンドル内を通って本体内に延びることが好ましい。
【０１１６】
一次流体流路は、ハンドル内では第１の方向に延び、本体内では第２の方向に延びることが好ましい。
【０１１７】
本体は、概ね管状であって上半分及び下半分を有し、ハンドルは、下半分に接続されることが好ましい。比較的高速の領域は、本体の下半分に存在することが好ましい。比較的低速の領域は、本体の上半分に存在することが好ましい。
【０１１８】
ＰＣＢの大型部品は、本体の上半分に配置されることが好ましい。ＰＣＢの小型部品は、本体の下半分に配置されることが好ましい。ＰＣＢの大型部品は、取り付け先の回路基板から最も遠くに延びる部品であることが好ましい。
【０１１９】
第８の態様によれば、本発明は、ヘアケア機器であって、本体と、機器内に流体流が入り込む流体入口から、本体の前端部から流体流を放出するための流体出口まで本体内を通って延びる流体流路と、機器から放出される流体の少なくとも１つのパラメータを調整するための付属品とを備え、付属品は、機器に付着する上流端を有し、本体の前端部及び付属品の上流端の一方又は両方が、少なくとも１つの磁石を含むヘアケア機器を提供する。
【０１２０】
本体の前端部は、本体の半径方向内向きに延びる端壁を含み、この端壁は、少なくとも１つの磁石を含むことが好ましい。
【０１２１】
端壁は、その周囲に半径方向に離間した複数の磁石を含むことが好ましい。
【０１２２】
端壁は、その周囲に延びる磁性材料のリングを含むことが好ましい。
【０１２３】
端壁は、外面及び内面を有し、外面は、機器の外周面であり、内面には、少なくとも１つの磁石が隣接することが好ましい。
【０１２４】
少なくとも１つの磁石は、端面に埋め込まれることが好ましい。
【０１２５】
付属品の上流端は、端面と、この端面の周囲に半径方向に離間した複数の磁石とを含むことが好ましい。
【０１２６】
付属品の上流端は、端面の周囲に延びる磁性材料のリングを含むことが好ましい。
【０１２７】
磁石又は磁性材料は、磁気片を含む重合体で作成されることが好ましい。
【０１２８】
磁石又は磁性材料の外面は、耐傷性被膜で覆われることが好ましい。
【０１２９】
機器は、機器内に一次流体流が入り込む一次流体入口から少なくとも部分的に本体内を通って一次流体出口に延びる一次流体流路を備えることが好ましい。
【０１３０】
機器は、ハンドルを備え、一次流体入口は、ハンドル内に存在することが好ましい。
【０１３１】
流体は、一次流体出口から放出された流体によって流体流路を通じて引き込まれることが好ましい。
【０１３２】
一次流体流は、ダクトの周囲に延びることが好ましい。
【０１３３】
付属品は、機器からの流体流の放出を抑制するように構成されることが好ましい。付属品は、流体流路に沿って流体出口に至る流体流の生成を抑制する手段を含むことが好ましい。流体流の生成を抑制する手段は、機器に付属品が取り付けられた時にダクトを塞ぐ障壁を含むことが好ましい。
【０１３４】
付属品は、一次流体流がノズルに入り込むノズル流体入口から一次流体流を放出するためのノズル流体出口に延びるノズル流体流路を定めるノズルの形であることが好ましい。
【０１３５】
付属品は、本体の前端部における本体の外形を実質的に継続する外壁を含むことが好ましい。
【０１３６】
本体は、その前端部に向かって直径が減少することが好ましい。直径の減少は、一定の傾斜を有することが好ましい。
【０１３７】
機器は、本体と、機器内に流体流が入り込む流体入口から、本体の前端部から流体流を放出するための流体出口まで本体内を通って延びる流体流路とを備え、本体の前端部は、少なくとも１つの磁石を含むことが好ましい。
【０１３８】
本体の前端部は、本体の半径方向内向きに延びる端壁を有し、この端壁は、少なくとも１つの磁石を含むことが好ましい。
【０１３９】
端壁は、その周囲に半径方向に離間した複数の磁石を含むことが好ましい。
【０１４０】
端壁は、その周囲に延びる磁性材料のリングを含むことが好ましい。
【０１４１】
本発明は、機器から放出される流体の少なくとも１つのパラメータを調整するための付属品であって、機器に付着する上流端を有し、付属品の上流端が少なくとも１つの磁石を含む付属品も提供する。
【０１４２】
第９の態様によれば、本発明は、ヘアケア機器であって、ハンドル及び本体を備え、本体が外壁及びダクトを有し、外壁がダクトの周囲に延びダクトに向かって収束するヘアケア機器を提供する。
【０１４３】
外壁は、第１の部分及び第２の部分を有し、第１の部分は管状であることが好ましい。
【０１４４】
第１の部分は、実質的に均一な直径を有することが好ましい。
【０１４５】
第２の部分は、円錐形であることが好ましい。
【０１４６】
外壁の第２の部分は、ダクトに向かって１°〜８９°の角度で収束することが好ましい。
【０１４７】
外壁の第２の部分は、ダクトに向かって３０°〜６０°の角度で収束することが好ましい。
【０１４８】
機器は、一次流体入口から一次流体出口に至る一次流体流路に流体を引き込むためのファンユニットを備えることが好ましい。
【０１４９】
本体は、一端に一次流体出口を有し、外壁は、一次流体出口に向かうダクトに向かって収束することが好ましい。
【０１５０】
本体は、第１の端部及び第２の端部を有し、外壁は、本体の第２の端部においてダクトに向かって収束することが好ましい。
【０１５１】
機器は、一次流体流路と流体連通する一次流体入口を有するハンドルを備えることが好ましい。
【０１５２】
流体は、一次流体流路に流体を引き込むファンユニットの作用によって流体流路内に取り込まれることが好ましい。
【０１５３】
一次流体流路は、流体流路の周囲に延びることが好ましい。
【０１５４】
以下、添付図面を参照しながら本発明を一例として説明する。
【図面の簡単な説明】
【０１５５】
【図１】本発明によるヘアドライヤの１つの態様を示す図である。
【図２】本発明によるヘアドライヤの別の態様を示す図である。
【図３】本発明によるヘアドライヤの断面図である。
【図４ａ】図３の断面の一部の拡大図である。
【図４ｂ】図３の断面の別の部分の拡大図である。
【図５】本発明によるヘアドライヤの部品を示す図である。
【図６】本発明によるヘアドライヤの部品を示す別の図である。
【図７】本発明によるヘアドライヤの部品を示すさらに別の図である。
【図８ａ】別のヘアケア機器の断面図である。
【図８ｂ】別のヘアケア機器の斜視図である。
【図９】本発明によるヘアドライヤを示す図である。
【図１０】本発明によるヘアドライヤを示す別の図である。
【図１１ａ】図１の線Ｍ−Ｍに沿った水平断面図である。
【図１１ｂ】図１の線Ｌ−Ｌに沿った水平断面図である。
【図１２ａ】本発明によるヘアドライヤの本体の内部部品を示す図である。
【図１２ｂ】本発明によるヘアドライヤの本体の内部部品を示す図である。
【図１２ｃ】本発明によるヘアドライヤの本体の内部部品を示す図である。
【図１３】ヘアドライヤからの流体出力のパラメータを変更する付属品６００を有するヘアドライヤ１０の図である。
【図１４ａ】ヘアドライヤからの流体出力のパラメータを変更する付属品６００を有するヘアドライヤ１０の図である。
【図１４ｂ】ヘアドライヤからの流体出力のパラメータを変更する付属品６００を有するヘアドライヤ１０の図である。
【図１５】ヘアドライヤからの流体出力のパラメータを変更する付属品６００を有するヘアドライヤ１０の図である。
【図１６】ヘアドライヤからの流体出力のパラメータを変更する付属品６００を有するヘアドライヤ１０の図である。
【発明を実施するための形態】
【０１５６】
図１及び図２に、ハンドル２０及び本体３０を備えたヘアドライヤ１０を示す。ハンドルは、本体３０に接続された第１の端部２２と、本体３０から遠位側に存在する、一次入口４０を含む第２の端部２４とを有する。ヘアドライヤ１０には、ケーブル５０を介して電力が供給される。
【０１５７】
本体３０は、第１の端部３２及び第２の端部３４を有し、２つの部分を有していると見なすことができる。第１の端部３２からは、管状で直径が概ね一定の第１の部分３６が延び、第２の端部３４からは、第２の部分３８が延びて第１の部分３６に交わる。第２の部分３８は円錐形であり、その長さに沿って本体３０の第１の部分３６の直径から本体の第２の端部３４のより小さな直径へと直径が変化する。この例では、第２の部分３８が一定の傾斜を有し、本体３０の第１の部分３６の外壁３６０から定められる角度αは約４０°である。
【０１５８】
次に、特に図２、図３、図４ａ及び図４ｂを参照すると、ハンドル２０は、本体３０からハンドルの遠位端２４に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次入口４０は、ハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。端壁２１０は、ハンドルの外壁２００及び内壁２２０に直交する。
【０１５９】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きと共に変化し、ユーザの気が散ってしまう。
【０１６０】
一次入口４０の上流には、ファンユニット７０が設けられる。ファンユニット７０は、ファン及びモータを含む。ファンユニット７０は、一次入口４０から本体３０内に延びる流体流路４００を通じて、一次入口４０から本体３０に向けて流体を吸い込み、ハンドル２０と本体３０は９０において接合される。流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【０１６１】
本体３０は、外壁３６０及び内側ダクト３１０を含む。一次流体流路４００は、ハンドル２０と本体３０の接合部９０から本体に沿って、外壁３６０とダクト３１０の間を本体３０の第２の端部３４における一次流体出口４４０に向かって延びる。
【０１６２】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる。
【０１６３】
本体の第１の端部３２は、流体入口３２０を含み、本体の第２の端部３４は、流体出口３４０を含む。流体入口３２０及び流体出口３４０は、本体内を本体に沿って延びる、本体３０の内壁であるダクト３１０によって少なくとも部分的に定められる。流体流路３００は、ダクト内を流体入口３２０から流体出口３４０に延びる。本体３０の第１の端部３２では、外壁３６０とダクト３１０との間に側壁３５０が広がる。この側壁３５０は、少なくとも部分的に流体入口３２０を定める。本体の第２の端部３４では、外壁３６０とダクトの間に間隙３７０が設けられ、この間隙３７０が一次流体出口４４０を定める。一次流体出口４４０は環状であり、流体流路を取り囲む。一次流体出口４４０は、一次流体流路４００が本体３０内で流体流路３００に合流できるように内側に存在することができる。或いは、一次流体出口４４０は外側に存在し、流体出口３４０において流体流路３００からの流体とは別に本体３０から排出される。
【０１６４】
本体の外壁３６０は、ダクト３１０、及び本体３０の中心線Ａ−Ａに向かって収束する。ダクト３１０に向かって収束する外壁３６０には、一次流体出口４４０から排出される一次流が本体３０の中心線Ａ−Ａに向かって導かれるという利点がある。一次流体出口４４０から排出される流体は、この一次出口４４０からの流体の動きに起因して、ヘアドライヤの外側からの流体の何らかの外部同伴４９０を引き起こす。この効果は、ダクト３１０に向かって収束する外壁３６０によって高められる。この理由は、１つには、一次流が発散性でなく集中性であるからであり、１つには、本体３０の外壁３６０がヘアドライヤの第２の端部３４に向かって傾斜しているからである。
【０１６５】
ダクト３１０は、ヘアドライヤの外側からアクセスできるヘアドライヤの内壁である。従って、ダクト３１０は、ヘアドライヤの外周壁である。ダクト３１０は、本体３０内の奥まった所に存在し、従って外壁３６０とダクト３１０を接続する側壁３５０は、外壁３６０に対して角度を成す。角度βは、本体３０の外壁３６０によって定められる線から約１１５°である（図４ｂ）。
【０１６６】
本体３０内の側壁３５０及び流体入口３２０の近くには、ヘアドライヤの制御電子回路を含むＰＣＢ７５が存在する。ＰＣＢ７５はリング状であり、ダクト３１０と外壁３６０の間においてダクト３１０の周囲に延びる。ＰＣＢ７５は、一次流体流路４００と流体連通する。ＰＣＢ７５は、流体流路３００の周囲に延び、ダクト３１０によって流体流路３００から分離される。
【０１６７】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【０１６８】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれるようになる。この流体は、本体の第２の端部３４において処理流と合流する。図３に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、取り込まれた流れによって増大する。
【０１６９】
図５〜図７は、全てヘアドライヤ１０を形成する異なる部品の分解図である。このヘアドライヤは、ねじなどの外部固定具を必要とする２つの外側部品を有する従来の折り畳み式ヘアドライヤの代わりに、このような外部固定具を用いずに製造される。
【０１７０】
第１の要素は、一次入口４０及びケーブル５０を含むハンドル２０の外壁２００である。第２の要素は、本体３０のダクト３１０及び側壁３５０を含む。第３の要素は、本体３０の外壁３６０及びハンドル２０の内壁２２０である。第２の要素及び第３の要素は、単一ユニットとして製造される。これには、第１に本体３０のダクト３１０と外壁３６０との間に厳密な許容差を再現することができ、第２に本体３０に不格好な接合部が存在しないという２つの利点がある。これらの３つの主要部品からヘアドライヤを製造することにより、ヘアドライヤの機能及び形態の両方が容易に維持される。また、エンドユーザは、通常の家庭内の工具を用いてヘアドライヤを分解するのが困難であると分かるので安全でもある。
【０１７１】
本体３０の外壁３６０及びハンドル２０の内壁２２０を含む第３の要素は、プラスチック材料から一体型ユニットとして成形される。ダクト３１０及び側壁３５０を含む第２の要素も、プラスチック材料から成形される。好適なプラスチック材料としては、ポリカーボネート、ガラス充填ＰＰＡ（ポリフタルアミド）、ＰＰＳ（ポリフェニレンサルファイド）、ＬＣＡＰ（液晶芳香族ポリマー）又はＰＥＥＫ（ポリエーテルエーテルケトン）が挙げられ、当業者であれば、このリストは包括的なものでないと認識するであろう。ハンドル２０の外壁２００は、複数の好適な材料のいずれかで形成できるが、アルミニウム、アルミニウム合金、鋼又はステンレス鋼で形成することが好ましい。
【０１７２】
ヘアドライヤの内部部品を組み立てるために、ハンドル２０の内壁２２０にはアクセス用ハッチ２２２が設けられる。これにより、ファンユニット７０の位置決めと、ファンユニット７０、ヒータ８０、制御ボタン６２、６４及びＰＣＢ７５をケーブル５０に接続する配線の単純な相対速度での接続とが可能になる。ダクト３１０の周囲にヒータ８０及びＰＣＢ７５を配置して本体３０に挿入し、配線を接続し、ハンドル２０の内壁２２０の対応する穴２２４を覆ってアクセス用ハッチ２２２を配置する。本体３０の第１の端部３２は、側壁３５０によって密封される。これにより、本体の第１の端部３２において流体が一次流体流路４００内に取り込まれることと、ファンユニット７０によって処理された流体が第１の端部３２において本体３０から排出されることの２つがいずれも阻止される。
【０１７３】
図５、図６及び図７に関連して示す例では、ハンドル上の制御ボタン６２が、ハンドルの流体出口３４０に面する側に存在する。
【０１７４】
ハッチ２２２は、電気部品への配線接続を行えるほど十分に大きなサイズである必要があり、ハンドル周囲のあらゆる位置に存在することができる。ハッチは、内壁２２０の全長にわたって延びることもでき、内壁２２０の周囲にあらゆる配向で存在することもできる。
【０１７５】
次に、特に図３、図４ａ及び図５〜図７を参照しながらハンドルの構造について説明する。ハンドル２０は、外壁２００及び内壁２２０を有する。内壁２２０は、ヘアドライヤ内を通る一次流体流路４００を取り囲んで定めるダクトである。外壁２００は把持部を含み、この例では、一次流体流路４００内への一次入口４０を有する。内壁２２０内には、材料の絶縁層２１２が設けられる。この絶縁層は、発泡体又はフェルトであり、ファンユニット７０によって生じる騒音、ヘアドライヤの動作によって生じる熱、ファンユニットによって生じる振動、及び一次流体流路４００を通る流体流によってヘアドライヤ内に生じる騒音からハンドルを隔離する。
【０１７６】
これとは別に、又はこれに加えて、外壁２１０と内壁２２０の間にも材料の絶縁層２１２が設けられる。これについては、図８ａに関連して説明する。
【０１７７】
最低限でも、絶縁材料２１２は、ファンユニット７０の周囲に位置付けられ、好ましくはアクセス用ハッチ２２２の周囲に位置付けられる。しかしながら、絶縁材料２１２は、ハンドルの絶縁に最も影響を与えるという理由で、内壁２２０の周囲で実質的に連続し、ハンドルの内壁２２０の長さにわたって延びることが好ましい。絶縁材料２１２は、流体が一次流体流路４００に引き込まれることによって直接的に生じるあらゆる騒音を低減するように、一次入口４０の周囲に広がることもできる。
【０１７８】
この例では、外壁２００が一次流体入口４０を含むが、内壁２０の全長にわたって外壁が延びることは必須ではない。外壁２００は、絶縁の目的と共に、アクセス用ハッチ２２２を隠してユーザによるアクセスを防ぐという美的及び安全上の理由で、アクセス用ハッチ２２２、及びファンユニット７０を含むハンドルの領域にわたって延びるべきである。外壁２００が内壁２２０の全長にわたって延びていない場合、内壁２２０は、本体３０との接合部９０からの遠位端に入口４０を含むようになり、或いは外壁２００及び／又は内壁２２０に取り付け可能な別個の入口本体を設けることができる。
【０１７９】
外壁２００は、内壁２２０に対して位置付けられた後に、適所に固定される。外壁２００は、ユーザがこれを取り外して損傷を受けやすい部品にアクセスすることを防ぐとともに接合をきれいにするという理由で、例えばプラズマ溶接によって固定される。
【０１８０】
図８ａ及び図８ｂには、同様の一次入口５４０を有する別のヘアケア機器を示す。この例では、ヘアケア機器が、ハンドル５２０と、ハンドル５２０の遠位端５２２において一次入口５４０に取り付け可能な分離型ヘッド部５３０とを有する高温整髪ブラシ５００である。
【０１８１】
ハンドル５２０は、一方の端部５２４及びその近隣に一次入口５４０を含む概ね管状の外壁５２６を有する。一次入口５４０は、ハンドル端部５２４からハンドルの外壁５２６に沿ってハンドル５２０の周囲に放射状に広がる第１の開口部の組５４４を含む。ハンドル端部５２４は、端壁５１０によって覆われ、この端壁５１０にも、ハンドルの端壁５１０を貫いて延びる第２の開口部の組５４６が穿孔される。従って、一次入口５４０は、ハンドル５２０の周囲に、ハンドル５２０に沿って、ハンドル５２０を横切って広がる。端壁５１０は、ハンドルの外壁５２６及び内壁５６０に直交する。
【０１８２】
ハンドル５２０は、ファンと、ファンを駆動するモータとを有する、使用時にハンドル５２０の長さを貫いて延びる流体流路５５０に沿って一次入口５４０を通じて流体を引き込むファンユニット５７０も含む。流体は、ヘッド部５３０の内部キャビティ５３８に入る前に、任意にヒータ５８０によって加熱される。
【０１８３】
ヘッド部５３０は、この例では２組の平行なスロット５３４を有する流体出口を含み、これらの組は、第１のスロットの組５３４ａが第２のスロットの組５３４ｂの上流に存在する状態でヘッド部の端部５３６に向かってヘッド部５３０の周囲に放射状に広がる。この構成により、流体がヘッド部の全周及びヘッド部５３０の長さの大部分にわたってヘッド部から流出し、製品の整髪領域を最大にすることができる。
【０１８４】
ヘッド部５３０は、ヘッド部５３０から半径方向に離れて延びる毛状突起５３２も含む。毛状突起５３２は、ヘッド部の周囲に放射状に延びる平行線として形成される。各毛状突起の組は、２つの隣接するスロット５３４間に位置するが、全てのスロット対の間に毛状突起を設ける必要はない。
【０１８５】
使用時には、ヘッド部５３０の周囲に毛髪が巻き付く。毛状突起５３４が毛髪を保持した状態で、スロットから温風又は高温流体が排出されて毛髪を乾かし、カール状又はウェーブ状に整髪する。
【０１８６】
この機器には、好ましくはプラグ又はその他の電源からハンドル５２０の端壁５１０内を通って延びる動力ケーブル５４８を介して電力が供給される。ハンドル５２０は、内部配線（図示せず）によってケーブル５４８、ファンユニット５７０及びヒータ５８０と電気的に接続されたＰＣＢ５７５も収容する。ユーザが様々な温度及び流量設定の１つを選択できるように、制御ボタン５５５が設けられてＰＣＢ５７５に接続される。制御ボタン５５５は、例えばプッシュボタン又はスライドボタンである。
【０１８７】
ハンドル５２０は、外壁５２６及び内壁５６０を有する。内壁５６０は、機器内を通る流体流路５５０を取り囲んで定めるダクトである。外壁５２６は把持部を有し、これらの例では、流体流路５５０内への一次入口５４０を有する。外壁５２６と内壁５６０の間には、材料の絶縁層５２８が設けられる。この絶縁層は、発泡体又はフェルトであり、ファンユニット５７０によって生じる騒音、機器の動作によって生じる熱、ファンユニットによって生じる振動、及び流体流路５５０を通る流体流によって機器内に生じる騒音からハンドルを隔離する。
【０１８８】
最低限でも、絶縁材料は、ファンユニット５７０の周囲に位置付けられる。しかしながら、絶縁材料５２８は、ハンドルの絶縁に最も影響を与えるという理由で、ハンドルの外壁５２６と内壁５６０の間で実質的に連続し、内壁５６０の長さにわたって延びることが好ましい。絶縁材料５２８は、流体が流体流路５５０に引き込まれることによって直接的に生じるあらゆる騒音を低減するように、一次入口５４０の周囲に広がることもできる。
【０１８９】
一次入口４０、５４０は、ハンドル２０、５２０の周囲に、ハンドル２０、５２０に沿って、ハンドル２０、５２０を横切って広がる複数の開口部を有する。３次元に広がる入口を有することは、特に整髪機器と共に使用する際に有利である。第１に、スイッチがオンになった状態で機器を表面上に置いた場合、入口表面積のわずかな部分しか塞がれず、又は機器内への流体流が制限されない。これにより、ファンユニットが、特にファンユニットのモータが作動する際の流量が少なすぎて、モータが過熱し損傷することが防がれる。
【０１９０】
第２に、ヘアケア機器は、ムース、ジェル又はスプレーなどの整髪用品と共に使用されることが多い。これらの製品は、通常は手で、又はミストとして直接毛髪に使用される。手で使用した後には製品の一部が皮膚上に残り、その後に機器を保持した時に機器に移る。これにより、ハンドル２０、５２０に沿ってハンドル２０、５２０の周囲に広がる開口部４４、５４４の少なくとも一部が塞がれる可能性がある。しかしながら、ハンドルの下方でハンドルの端壁２１０、５１０を横切って広がる開口部４４、５４６には影響が及ばない。製品をミストとして使用する場合、これが機器に付着し、やはり流体入口４０、５４０の開口部の少なくとも一部が塞がれ又は制限される可能性がある。しかしながら、ハンドル２０、５２０の周囲に、ハンドル２０、５２０に沿って、ハンドル２０、５２０を横切って広がる開口部を有することにより、一次入口４０、５４０が塞がれるリスクは減少する。
【０１９１】
開口部は、直径が０．２ｍｍ〜１．６ｍｍの円形であることが好ましい。開口部の直径は、ハンドル２０、５２０に沿って、ハンドル２０、５２０の周囲で、ハンドル２０、５２０を横切って変化することができる。これらの開口部は、流体入口４０、５４０の周囲で、流体入口４０、５４０に沿って、流体入口４０、５４０を横切って規則的に離間させることが有利である。このことは視覚的に美しいだけでなく、一部が塞がれる可能性が高い、又はこれによって流体入口４０、５４０内への流れに対する影響が強くなると思われる一次入口４０、５４０の弱い領域が存在しないという技術的利点も有する。入口は、少なくともハンドル２０、５２０の円周回りにおける入口内への流れが均等になるように設計される。
【０１９２】
ハンドルは、ハンドルにくっついて一次入口４０、５４０を塞ぐあらゆる整髪用品が容易に除去されてあらゆる開口部を一時的にしか塞がないように、金属材料で形成されることが好ましい。
【０１９３】
次に、図９及び図１０を参照すると、ヘアドライヤ１０は、２組の制御ボタン６２、６４を含む。第１の組６２は、ハンドル２０上に設けられ、第２の組６４は、本体３０上に設けられる。従来、２組の制御ボタン６２、６４は、全て１本の指でアクセスできるように配置される。通常の使用では、この指は親指であるが、ヘアドライヤを別様に保持する場合には親指以外の指の場合もある。第１の組６２は、ハンドル２０上の本体入口３２０と同じ側に設けられる。第２の組６４は、本体３０の側壁３５０に設けられる。一例として、第１の組６２は、オンボタン６２ａ及びコールドショットボタン６２ｂを含むことができ、第２の組６４は、ヒータ制御ボタン６４ａ及び流れ制御ボタン６４ｂを含むことができる。
【０１９４】
ボタンをヘアドライヤの片側又は一端に配置する１つの利点は、ユーザがヘアドライヤを利用する際に同時に全ての制御ボタン６２、６４を確認でき、流量及び温度などのパラメータの変更が単純化される点である。
【０１９５】
別の利点は、制御電子回路がハンドル２０の１つの領域内に収まる点である。このことは、一次流路４００がハンドル内を通っている時に、ハンドルの周囲を通って前面に至る、すなわちヘアドライヤの出口３４０、４４０に面するハンドル２０の側に至る配線が存在しないので特に有利である。
【０１９６】
第３の利点は、第２の制御ボタンの組６４がＰＣＢ７５上に直接取り付けられる点である。これにより、ヘアドライヤ内の電気的接続部が減少するので、ヘアドライヤの製造が単純化されるだけでなく、信頼性も向上する。
【０１９７】
制御ボタン６２、６４は、押圧式ボタン、スライド式制御部、又は異なる形で作動する制御部の組み合わせとすることができる。制御ボタン６２、６４は、ユーザが必要なボタンを感触のみで探せるという理由で、配置された表面から盛り上がって存在することが好ましい。
【０１９８】
次に、特に図３、図４ｂ、図１１ａ、図１１ｂ、図１２ａ、図１２ｂ及び図１２ｃを参照しながらＰＣＢ７５について説明する。ＰＣＢ７５は、環状又はリング状であり、ダクト３１０の周囲であってダクト３１０と外壁３６０の間に延びる。この例では、ＰＣＢが、ダクト３１０の周囲の大部分にわたって延びる第１の回路基板７５ａ、及び第１の回路基板７５ａに隣接して下流に存在する第２の回路基板７５ｂという２つの回路基板を有する。第２の回路基板７５ｂは、ダクト３１０の周囲及び本体３００の周囲に部分的にしか延びない。
【０１９９】
ＰＣＢ７５は、各々が取り付け先の回路基板から異なる量だけ離れて延びる複数の異なる部品を収容する。特に図３、図４ｂ、図１２ａ、図１２ｂ及び図１２ｃを参照すると、第１の回路基板７５ａ上には、第２の回路基板７５ｂから半径方向に離れてコンデンサなどの大型部品７７が位置付けられている。この構成では、小型部品又は取り付け先の回路基板から最小限しか離れずに延びる部品が２段積みされるのに対し、大型部品又は取り付け先の回路基板から最大限離れて延びる部品が１段積みされるので、ＰＣＢ７５ができる限りコンパクトになることなどの複数の利点が得られる。
【０２００】
このＰＣＢ７５上の構成の別の利点は、一次流体流路４００がハンドル２０から本体３０内に移行する際の一次流体流路４００内の流体の流量管理である。図３、図４ｂ、図１２ｂ及び図１２ｃを参照すると、ハンドル２０は概ね管状であり、一次流体流路４００は、ハンドル２０と本体３０の接合部９０に入り込む時には概ね円形である。一次流体流路４００は、この地点において９０°方向を変えるとともに、循環流から、ダクト３１０の周囲のダクト３１０と本体の外壁３６０との間を流れる環状流に変化する。これらの変化は、一次流体流路４００内の流速に影響を与える。
【０２０１】
本体３０が、その長さに沿って延びる中心線Ａ−Ａに関して概ね対称であると考えた場合、ダクト３１０及び外壁３６０は、ダクト３１０と外壁３６０の間に存在するヒータ８０と同様に同心状である。一次流体流路４００内の流体は、本体３０とハンドル２０との接合部９０に到達すると、方向及び形状の両方を変化させなければならない。これにより、本体３０内の接合部９０の付近に高速の流れ領域が生じ、本体３０内の接合部９０から半径方向に離れて低速の流れ領域が生じる。本体３０が、ハンドル２０から半径方向に離れた上半分３８０と、本体３０とハンドル２０との接合部９０を含む下半分３９０とを有すると考えた場合、下半分３９０の流れは、上半分３８０の流れよりも相対的に速い。
【０２０２】
ＰＣＢ７５は、比較的高速の領域から半径方向に離れた比較的低速の流れの上半分３８０内に大型部品７７が位置して、ヘアドライヤ内の流速に対する大型部品７７の影響を低減するように配向される。２層ＰＣＢ７５ａ、７５ｂは、一次流体流路４００内にそれほど延びていないので下半分３９０に配置される。
【０２０３】
また、ＰＣＢの位置及び一次流体流路４００の本体３０に入り込む際の方向の変化に起因するあらゆる圧力損失をさらに最小化するように、一次流体流路４００内の流れをＰＣＢ７５上及びその周囲に湾曲させ又は案内するためのフロープレート７００も設けられる。フロープレート７００は環状であり、一次流体流路４００の配向又は方向をスムーズに変化させる湾曲部７１０（図３、図４ｂ、図１１ａ、図１１ｂ、図１２ａ、図１２ｂ及び図１２ｃ）を含む。湾曲部７１０を設けることによって流れが隅部の周囲に向けられ、方向の直角変化によって生じる騒音が減少し、流体のあらゆる圧力損失又は速度損失が減少する。フロープレート７００全体を曲げることもできるが、湾曲部７１０を有するフロープレート７００の一部を本体３０の下半分３９０内に配置するだけでも利点が分かる。
【０２０４】
フロープレート７００は、ＰＣＢ７５に隣接し、接続ブリッジ７２０を介してＰＣＢ７５に接続されることが有利である。フロープレート７００は、導電性材料、好ましくはアルミニウム又はその合金などの金属材料で作成され、従ってこのブリッジ７２０は、ＰＣＢの部品から熱を奪い、流体流路を流れる流体がフロープレート７００を通過した時にこの熱を流体内に伝導するヒートシンクをＰＣＢ７５に提供するようになる。
【０２０５】
また、フロープレート７００は、ＰＣＢ７５のための熱障壁、及びＰＣＢ７５に取り付けられた感温性部品としての役割も果たす。本体３０内の、本体３０とハンドル２０とＰＣＢ７５との接合部９０の下流にはヒータ８０が配置され、流体が一次流体流路４００を流れている時、すなわちヘアドライヤがオンになっている時には、ヒータ８０によって生じる熱の全てではないにしても大部分が一次流体出口４４０に運ばれるようになる。一方、ヘアドライヤがオフ又は待機状態の時には、ヒータが残りの熱を放出し、この熱が上流及び下流の両方に広がるため、フロープレートは、やはりＰＣＢ７５のための熱障壁として機能することが理想的である。
【０２０６】
フロープレート７００は、ＰＣＢ７５を流体流路４００内の流体に対して密封するのではなく、むしろフロープレート７００と本体３０の間の開口部７３０（特に図４ｂ）、又はフロープレート内のスロット７４０（図１２ａ）を通じて、ＰＣＢ７５の周囲に流体が流れるようにする。
【０２０７】
フロープレート７００は、別の機能も有する。ＰＣＢ７５上のコンデンサなどの１又は２以上の部品が故障した場合、フロープレート７００は、部品の故障によるあらゆる破片及び／又は電解質を偏向させて側壁３５０の方に戻し、破片及び／又は電解質が一次流体流路４００に入り込んでヒータ８０及び一次流体出口４４０に至るのを防ぐ偏向板として機能する。
【０２０８】
図１３〜図１６に、ヘアドライヤからの流体出力のパラメータを変更するための付属品６００を有するヘアドライヤ１０の様々な図を示す。付属品６００は、口栓６１０及び外壁６６０を含む。口栓６１０と外壁６６０の間には、付属品流体入口６３０から付属品流体出口６４０に至る付属品流体流路６２０が延びる。外壁６６０の上流端６６０ａには、磁性材料のリング６６２が設けられる。磁性材料のリング６６２は、外壁６６０の上流端６６０ａの上流面６６４に埋め込まれ又は嵌め込まれる。
【０２０９】
ヘアドライヤ１０は、その第２の端部３４において端壁３６２の周囲に半径方向に離間した複数の磁石３６４を含む（図３及び図４ａ）。端壁３６２は、本体３０の外壁３６０の半径方向内向きに延びる。これらの磁石３６４は、付属品６００がヘアドライヤ１０に取り付けられた時に磁性材料のリング６６２に結合する。
【０２１０】
或いは、ヘアドライヤ１０の端壁３６２が磁性材料のリングを含み、付属品が、周囲に半径方向に離間したポイント磁石又は別の磁性材料のリングを含むこともできる。この磁気的接続は、一部のみを磁化すればよく、他の部分は、磁化部分に磁気的に引き付けられるだけでよい。
【０２１１】
このヘアドライヤと付属品の間の磁気的接続の使用には、特にこの種の、すなわちダクト３１０によって定められた内部ボア３００と、ボアの周囲に広がる部品７７、８０とを有するヘアドライヤ１０と共に使用した時に複数の利点がある。ヘアドライヤ１０のダクト３１０と外壁３６０の間には、本体３０の長さに沿って間隔を空け、この間隔を維持することが重要である。本体３０内でダクト３１０が片側に押された場合、ヒータ８０が損傷し、流体流に障害が起き、外壁３６０上に高温スポットが現れる恐れがある。従って、付属品の取り付け及び取り外しの際には、ヘアドライヤ１０に余分な応力及び歪みをもたらさないことが重要である。付属品の伝統的な押し込み嵌め、スナップ嵌め及び摩擦嵌め方法では、これらの応力及び歪みがもたらされる恐れがある。しかしながら、磁気的取り付けでは、既知の力による安定した位置決めが可能である。また、製品が落下してしまう場合又はガタつく場合には、２つの部品を引き付ける磁力を、容易に取り付けを外せるレベルに設定することができる。
【０２１２】
磁石間の力は、複数の方法で操作することができる。１つの方法に、離散的磁石又はポイント磁石の使用がある。別の方法に、磁性材料のリングがある。このリングは、鉄などの磁性材料の固体リングとすることも、又はエポキシ樹脂などの好適な基板内に成形された磁性材料の薄片を含むこともできる。材料のリングは、完全に曝すことも、部分的に曝すことも、或いはヘアドライヤの端壁の裏側に隠すこともできる。以下、図１７ａ及び図１７ｂを参照しながら２つの別の構造について説明する。両選択肢は、本体の外壁３６０の半径方向内向きに延びる端壁３６２を有する。図１７ａには、外壁の前面３６２の内面３６２ａに係合する第１のレッグ７１０と、第１のレッグ７１０から端壁３６２の外面に向かって延びる第２のレッグ７２０とを有する磁性材料のＬ字形リング７００を示す。第２のレッグ７２０は、外面と同一平面上に存在してもよい。図１７ｂには、磁性材料のリング７３０が端壁３６２の内面３６２ａに接して位置付けられて端壁３６２の裏側に完全に隠れた別の構造を示す。
【０２１３】
付属品６００上の磁性材料のリング６６２も、完全に露出させることも、部分的に露出させることも、又は上流面６６４に完全に隠すこともできる。完全に又は部分的に露出した磁気部品を使用する際には、磁気付属品７００、６６２の両部品が、それぞれの端壁３６２及び上流面６６４と同一平面上に存在することが好ましい。或いは、これらの２つの磁石部品を、機械的及び磁気的に係合する形状とする。例えば、１つの凹型の磁石と、磁石に対するそれぞれの端壁及び上流面又は階段状の面から盛り上がった１つの磁石とを設ける。
【０２１４】
磁石を露出させた実施形態では、磁石をＰＴＦＥなどの耐傷性被膜７２２（図１７ａ）で覆うことが好ましい。これにより、付属品が嵌合面を損傷することなく機器の本体に対して回転できるので有利である。
【０２１５】
図示の実施形態では、特に図１３、図１４ａ及び図１４ｂを参照すると、付属品６００は集中式ノズルであり、すなわち流れを小領域に集中させる。ヘアドライヤの一次流体流路４００は、環状の一次流体出口４４０を有し、これによって加熱流体の断面積が比較的広くなる。付属品６００は、長辺６７０が（さらに大きくても小さくてもよい）一次流体出口４４０の直径に類似し、短辺６８０が一次流体出口４４０の直径及び長辺６７０よりも著しく短い概ね矩形の付属品流体出口６４０を有する。集中式ノズル６００は、より狭い領域にわたって流れを集中させ、方向性のある流れをユーザに提供する。付属品６００は、本体３０に対して回転自在であるとともに、本体３０に対してあらゆる配向で位置付けることができるので、付属品からの流れを水平方向、垂直方向、又はこれらの間のあらゆる角度に向けて、ユーザが乾燥中に細かい制御を行えるようにすることができる。
【０２１６】
図１３〜図１６を参照すると、ヘアドライヤ１０に付属品６００を取り付けた場合、外壁６６０は、ヘアドライヤの外壁３６０の延長部を形成する。口栓６１０は、円錐部６１２及び基部６１４という２つの部品を有する。円錐部６１２は、付属品６００内で広がって付属品流体出口６４０に向かう点６１６を形成し、ヘアドライヤの一次流体出口４４０からの流れを付属品流体出口６４０に向ける。円錐部６１２は、外壁６６０と共に、付属品流体流路６２０の境界を定める。基部６１４は、円錐部６１２の上流に存在し、ダクト３１０の端部内に広がって緩んだ口栓を形成することによって流体流路３００からの流れを制限する。付属品流体流路６２０は、ヘアドライヤ１０の一次流体流路４００と流体連通し、従って一次流体流路４００からの流体は、付属品流体出口６４０から放出される。
【０２１７】
ヘアドライヤ及び高温整髪ブラシに関して本発明を詳細に説明したが、本発明は、流体を引き込んでこの流体を機器から流出するように導くあらゆる機器に適用可能である。
【０２１８】
この機器は、ヒータの有無に関わらず使用することができ、流体の高速流出作用は乾燥効果を有する。
【０２１９】
説明した付属品は集中式付属品であったが、あらゆるノズル形状、サイズの、又はあらゆる機能を有する磁気付属品が可能である。
【０２２０】
一般に、機器内を流れる流体は空気であるが、異なる気体又は一種類の気体の組み合わせであってもよく、機器の性能、或いは出力が向けられる毛髪などの物体及びそのスタイリングに機器が与える影響を改善する添加物を含むこともできる。
【０２２１】
本発明は、上述した詳細な説明に限定されるものではない。当業者には、変形例が明らかであろう。
【図１】
0006625527.tif 000002
【図２】
0006625527.tif 000003
【図３】
0006625527.tif 000004
【図４ａ】
0006625527.tif 000005
【図４ｂ】
0006625527.tif 000006
【図５】
0006625527.tif 000007
【図６】
0006625527.tif 000008
【図７】
0006625527.tif 000009
【図８ａ】
0006625527.tif 000010
【図８ｂ】
0006625527.tif 000011
【図９】
0006625527.tif 000012
【図１０】
0006625527.tif 000013
【図１１ａ】
0006625527.tif 000014
【図１１ｂ】
0006625527.tif 000015
【図１２ａ】
0006625527.tif 000016
【図１２ｂ】
0006625527.tif 000017
【図１２ｃ】
0006625527.tif 000018
【図１３】
0006625527.tif 000019
【図１４ａ】
0006625527.tif 000020
【図１４ｂ】
0006625527.tif 000021
【図１５】
0006625527.tif 000022
【図１６】
0006625527.tif 000023
【図１７ａ】
0006625527.tif 000024
【図１７ｂ】
0006625527.tif 000025